(57)【要約】  毛髪及び頭皮の特性を測定するハンドヘルド画像化装置であって、毛髪繊維の表面特性の拡大画像を得るための、第１のレンズ及び第１の光源を備える高倍率光学系と、頭皮及び毛髪の拡大画像を得るための、第２のレンズ及び第２の光源を備える低倍率光学系とがあるハウジングを備え、高倍率光学系は、一定の焦点距離と、フレーム内に毛髪繊維を位置付けるためのスロットとを有し毛髪繊維の焦点が合うようにし、さらに、一体型の表示手段、外部表示手段、及びそれらの組み合わせから選択される表示手段を備える、装置。【特許請求の範囲】
【請求項１】
毛髪及び頭皮の特性を測定するハンドヘルド画像化装置であって、毛髪繊維の表面特性の拡大画像を得るための、第１のレンズ及び第１の光源を備える高倍率光学系と、頭皮と毛髪の拡大画像を得るための、第２のレンズ及び第２の光源を備える低倍率光学系とがあるハウジングを備え、前記高倍率光学系は、一定の焦点距離と、フレーム内に毛髪繊維を位置付けるためのスロットとを有し毛髪繊維の焦点が合うようにし、さらに、一体型の表示手段、外部表示手段、及びそれらの組み合わせから選択される表示手段を備える、装置。
【請求項２】
前記低倍率光学系が偏光アセンブリを有し、偏光及び非偏光の照明を選択できるようにする、請求項１に記載の画像化装置。
【請求項３】
前記偏光アセンブリが、ソフトウェアアプリケーションから遠隔で電力供給又は制御される、請求項２に記載の画像化装置。
【請求項４】
前記低倍率光学系が一定の焦点距離を有する、請求項１〜３のいずれかに記載の画像化装置。
【請求項５】
前記低倍率光学系が、前記レンズと前記表面との間に正しい間隔をもたらすためのキャップを有する、請求項４に記載の画像化装置。
【請求項６】
前記スロットが、０．５〜１．０ｍｍ、好ましくは０．７〜０．９ｍｍの幅、及び１０〜２０ｍｍ、好ましくは１２〜１５ｍｍの深さを有する、請求項１〜５のいずれかに記載の画像化装置。
【請求項７】
１〜１００本、より好ましくは５〜５０本の毛髪繊維が前記スロットに保持されている、請求項１〜６のいずれかに記載の画像化装置。
【請求項８】
前記低倍率光学系の分解能が、好ましくは１０〜２００倍（１０〜２００Ｘ）、好ましくは２５〜１５０Ｘ、より好ましくは３０〜１００Ｘの範囲を有し、前記高倍率光学系は、５００〜１５００倍（５００〜１５００Ｘ）、好ましくは６００〜１０００Ｘ、より好ましくは７００〜９００Ｘの範囲の分解能を有する、請求項１〜７のいずれかに記載の画像化装置。
【請求項９】
前記装置の先端に位置付けられた前記低倍率光学系の周囲に空間的に円形で配置された２つ以上のライト、好ましくは８つのライトを備える、請求項１〜８のいずれかに記載の画像化装置。
【請求項１０】
好ましくはＵＳＢコネクタ又は無線接続から選択されるソフトウェアデバイスに接続するための手段を備える、請求項１〜９のいずれかに記載の画像化装置。
【請求項１１】
ソフトウェアデバイスに接続されている、請求項１０に記載の画像化装置。
【請求項１２】
画像が前記ソフトウェアデバイスに転送される、請求項１１に記載の画像化装置。
【請求項１３】
前記ソフトウェアデバイスは、製品について主張されている利点に基づいて、それらが個々の消費者に関連している程度に応じて、前記ヘアケア製品を推奨する方法を提供するアルゴリズムを有する、請求項１２に記載の画像化装置。
【請求項１４】
第１の態様の前記画像化装置を用いて毛髪及び頭皮の状態を評価し、前記毛髪の前記状態に適した製品を推奨する方法であって、
１）毛髪繊維を前記スロットに置き、前記繊維の高解像度画像を得るステップ
２）任意選択で前記低倍率光学系を前記毛髪又は頭皮上に置き、画像を得るステップ、
３）ステップ１）及び２）の前記画像を用いて、前記毛髪又は頭皮の前記状態の評価を行うステップ、及び
４）ステップ３）の前記評価を用いて製品の推奨を行うステップ
を含む、方法。
【請求項１５】
請求項１〜１３のいずれか一項に記載の前記ハンドヘルド画像化装置と、スクリーンとを備えるワークステーションであって、前記ハンドヘルド装置及び前記スクリーンが、単一のベースに配置される、ワークステーション。
【発明の詳細な説明】
【技術分野】
【０００１】
本発明は、毛髪及び頭皮の状態を評価し、消費者に適した製品／解決策／レジームを推奨するための顕微鏡型装置、及びその装置を用いて製品を評価及び推奨する方法に関する。
【背景技術】
【０００２】
毛髪の特性を評価することは有用である。特に有用な評価は、毛髪繊維に沿った視覚的なダメージを含み、例えば、毛先の枝毛の分かれた部分、キューティクルの状態、毛髪の直径（これは、健康毛又はダメージ毛とつながりがある複数の属性を示すことができる）、頭皮の皮脂、頭皮のフケ、毛髪の豊富さ（頭皮の特定の領域にある毛髪の数）、及び毛包の占有率（各毛包から出ている毛髪の数）である。このような特性の評価により、毛髪の特定の状態に合った製品の有益な選択が可能になる。
【０００３】
これらの特性は、頭皮及び毛髪の状態に関する消費者の複数の毛髪への懸念と関連し、消費者のヘアケア製品の選択に影響を及ぼす。特定の個人が適切な製品を選択することは、えてして個人の頭皮及び／又は毛髪を評価することから始まる。
【０００４】
消費者は頭皮や毛髪の状態を自己評価するが、そのような定性的な自己評価は正確さに欠けることが多い。さらに、このような評価は、良好な状態と劣悪な状態について参照となる基準に対するベンチマークとなるステップを含まない。
【０００５】
そのような評価をするのに利用可能な顕微鏡がいくつかある。
【０００６】
米国特許出願公開第２０１２／０１２０２２３号は、顕微鏡の少なくとも１つの電気で制御可能な機能を選択及び調整することのうちの少なくとも１つをすべく構成される一体化された操作者制御ユニットを含む携帯式顕微鏡を開示している。操作者制御ユニットは、その起動、停止、及び調整のうちの少なくとも１つのためのユーザ制御コマンドを受信するように構成された少なくとも１つのセンサを含む。センサはタッチ式センサを含み、ユーザの片手での顕微鏡の保持及び操作に対応するように配置されている。
【０００７】
本出願人の同時係属出願である国際公開第２０１４／０４０８５３号は、皮膚及び／又は毛髪の状態を評価するための装置を開示しており、この装置は、ａ）ハウジングと、ｂ）水分（ｍｏｉｓｔｕｒｅ、ｈｙｄｒａｔｉｏｎ）値を測定するための水分計であって、ハウジングの少なくとも一端部によって支持され、そこから突出しており、その端部で、幅が長さよりも長いか、幅が高さよりも大きいアスペクト比（＞１：１〜約２０：１）を有する表面評価領域を備える水分計と、ｃ）前述のハウジングの別個の端部によって支持され、そこから突出しているカメラと、ｄ）コンピュータと通信するための手段で終端する電気ワイヤ又はコードを備えるさらに別の端部とを備えている。
【０００８】
しかし、これらの装置は、単一ユニットの装置に由来する分解能及び極性の最適化に関連する機能性を欠いている。市場の高分解能顕微鏡の大部分は、高解像度の焦点が合った画像を得るために特別な努力が必要であり、したがって訓練された人員がそのような手順を実行することが必要となる。これらの問題に対処する必要性がある。
【０００９】
本発明者らは、今や高倍率光学系と低倍率光学系の両方を含むハンドヘルド画像化装置を使用して、毛髪及び頭皮を簡便かつ効果的に検査できることを見出している。この装置において、この高倍率光学系は、毛髪繊維をフレーム内に位置付けるためのスロットと、その位置付けられた毛髪繊維が合焦しており、手動で焦点を合わせる必要がないように構成されている一定の焦点距離とを有する。
【先行技術文献】
【特許文献】
【００１０】
【特許文献１】米国特許出願公開第２０１２／０１２０２２３号
【特許文献２】国際公開第２０１４／０４０８５３号
【発明の概要】
【００１１】
本発明の第１の態様では、毛髪及び頭皮の特性を測定するハンドヘルド画像化装置であって、毛髪繊維の表面特性の拡大画像を得るための、第１のレンズ及び第１の光源を備える高倍率光学系と、頭皮及び毛髪の拡大画像を得るための、第２のレンズ及び第２の光源を備える低倍率光学系とがあるハウジングを備え、高倍率光学系は、一定の焦点距離と、フレーム内に毛髪繊維を位置付けるためのスロットとを有し毛髪繊維の焦点が合うようにし、さらに、一体型の表示手段、外部表示手段、及びそれらの組み合わせから選択される表示手段を備える装置が提供される。
【００１２】
第２の態様では、第１の態様の画像化装置を用いて毛髪及び頭皮の状態を評価し、毛髪の状態に適した製品を推奨する方法であって、
１）毛髪繊維をスロットに置き、繊維の高解像度画像を得るステップ
２）任意選択で低倍率光学系を毛髪又は頭皮上に置き、画像を得るステップ、
３）ステップ１）及び２）の画像を用いて、毛髪又は頭皮の状態の評価を行うステップ、及び
４）ステップ３）の評価を用いて製品の推奨を行うステップ
を含む方法が提供される。
【００１３】
第３の態様では、本発明は第１の態様のハンドヘルド画像化装置と、スクリーンとを備えるワークステーションであって、ハンドヘルド装置及びスクリーンが、単一のベースに配置されるワークステーションを提供する。
【００１４】
当業者にとっては、高倍率光学系のスロット（４）を用いることによって、例えば、毛髪、羊毛、織物、合成繊維といった多くの異なるタイプの繊維の特性を測定するのに、本発明のハンドヘルド画像化装置が使用することができることは、明らかである。
【００１５】
本発明の実施形態を、以下の非限定的な図面を参照してこれから説明する。
【図面の簡単な説明】
【００１６】
【図１】本発明によるハンドヘルド画像化装置の斜視図である。
【図２】内部の要素を示すハンドヘルド画像化装置の斜視図である。
【図３】使用中のハンドヘルド画像化装置の斜視図である。
【図４】空間的に配置された８つのライトを有する支持リング（１５）を示す低倍率端部の図面である。
【図５】ハンドヘルド画像化装置を含むワークステーション（１６）の斜視図である。
【００１７】
図１は、ハウジング（１）、高倍率光学系（２）、低倍率光学系（３）、スロット（４）、外部表示手段に接続するための手段（５）、シャッターボタン（６）、把持部（７）及びスペーサキャップ（８）を含む装置の斜視図である。
【００１８】
図２は、内部の要素を示す装置の図面である。この図面において、高倍率光学系（２）が、構成要素の第１のレンズ（９）及び第１の光源（１０）と共に示され、また低倍率光学系（３）が、第２のレンズ（１１）と第２の光源（１２）を含むよう示されている。
【００１９】
図３は、使用中のスロット機構の斜視図である。毛髪繊維の束（１３）が、高解像度画像を得るためにスロット（４）内に保持されている。
【００２０】
図４は、空間的に配置された８つのライト（１４）を有する支持リング（１５）を示す低倍率端部の図面である。スペーサキャップ（８）は、偏光させるために捻ることができる。
【００２１】
図５は、スタンド（１８）に載置したハンドヘルド画像化装置（１７）及びスクリーン（１９）を備えたワークステーション（１６）の斜視図であり、すべて単一のベース（２０）に配置されている。
【発明を実施するための形態】
【００２２】
本発明は、毛髪及び頭皮の特性を測定するハンドヘルド画像化装置に関する。
【００２３】
「手持ち式」又は「ハンドヘルド」という用語は、典型的には３５センチメートル（ｃｍ）未満、好ましくは１０〜２５ｃｍの長さ（コードを含まない）、及び２〜８ｃｍ、好ましくは３〜６ｃｍの幅である装置を意味する。
【００２４】
装置は、好ましくは顕微鏡である。
【００２５】
装置は、好ましくは、頭皮及び毛髪の根元に近接して保持できる先端部を有する。
【００２６】
ハウジング
装置はハウジング（１）を特徴とする。通常、ハウジングは、耐衝撃性の高いプラスチックであるＡＢＳ（ポリアクリロニトリル−ブタジエン−スチレン）などの比較的硬いプラスチックで形成する。
【００２７】
好ましくは、ハウジングは把持部（７）を有する。それは、親指用の湾入やくぼみ程度に簡素なものであってよい。好ましくは、把持部は、ハウジングと同一平面にある領域を形成する。好ましい実施形態では、把持部は、柔らかいが耐久性のある、比較的高い摩擦係数（ハウジングの摩擦係数に対して）を有する材料で形成される。そのような材料は、天然材料、例えばゴム、又は合成材料、例えばＰＶＣ、ポリウレタン及びシリコーン系の材料であってもよい。
【００２８】
高倍率光学系
高倍率光学系は、個々の毛髪繊維の表面特性の拡大画像を得るために使用する。例えば、キューティクルや枝毛の分かれた部分の詳細である。
【００２９】
高倍率光学系（２）は、第１のレンズ（９）及び第１の光源（１０）を備える。光源及びレンズは、光源を毛髪に向け、毛髪の拡大画像がレンズを通って作成されるように位置合わせされる。
【００３０】
高倍率光学系は、毛髪繊維をフレーム内に位置付けるためのスロット（４）と、位置付けられた毛髪繊維が合焦し、手動で焦点を合わせる必要がないように構成された一定の焦点距離とを有する。スロットは、好ましくは０．５〜１．０ｍｍ、より好ましくは０．７〜０．９ｍｍの幅、及び１０〜２０ｍｍ、好ましくは１２〜１５ｍｍの深さを有する。
【００３１】
高倍率光学系の分解能は、好ましくは５００〜１５００倍（５００〜１５００Ｘ）、より好ましくは６００〜１０００Ｘ、最も好ましくは７００〜９００Ｘの範囲である。
【００３２】
毛髪繊維の数は、好ましくは１〜１００本、より好ましくは５〜５０本である。繊維の数が画質に影響することが判明した。本発明者らは、１〜１００本、特に５〜５０本の毛髪の束を使用することが、一度で少なくとも１本の毛髪の焦点合わせを達成するのに特に有利であることを見出した。このようにすると、焦点の合った画像を得るために手動で焦点を合わせる必要がない。
【００３３】
高倍率光学系は、毛髪が使用者の頭部に付いているときに、軸の長さに沿った毛髪繊維及び繊維の先端の高画質の画像を得るために、有利に使用される。また、抜けている毛髪を使用する場合には、根元を画像化するために使用することもできる。
【００３４】
低倍率光学系
低倍率光学系は、第２のレンズ（１１）及び第２の光源（１２）を備える。光源及びレンズは、光源を毛髪及び／又は頭皮に向け、毛髪及び／又は頭皮の拡大画像がレンズを通って作成されるように位置合わせされる。低倍率光学系（３）は、好ましくは、頭皮及び毛髪に近接して保持することができるハンドヘルド画像化装置の先端に位置付けられる。
【００３５】
低倍率光学系の分解能は、好ましくは１０〜２００倍（１０〜２００Ｘ）、より好ましくは２５〜１５０Ｘ、最も好ましくは３０〜１００Ｘの範囲である。
【００３６】
低倍率光学系は、一定の焦点距離又は可変の調整可能な焦点距離を有することができる。
【００３７】
焦点距離が固定されている場合、低倍率光学系は、レンズと表面との間に正しい間隔をもたらすために、好ましくはスペーサキャップ（８）を有する。
【００３８】
焦点距離が可変である場合、焦点合わせ手段が必要である。これは、レンズの位置又は顕微鏡の長さを調節することができる。好ましい合焦手段は、焦点合わせホイールである。調整可能な焦点合わせキャップは、キャップを引っ張るかねじることで長さを変えることによって調整でき、そのようにして焦点を変える。
【００３９】
低倍率光学系は、第２の光源を含む。
【００４０】
第２の光源は、好ましくは、装置の先端に位置付けられる低倍率光学系の周囲に、空間的に配置された２つ以上のライト（１４）、好ましくは４〜１０のライト、最も好ましくは８つのライトを含む。好ましくは、これは、ライトを支持するリング（１５）にライトを配置することによって達成される。好ましくは、ライトは発光ダイオード（ＬＥＤ）である。
【００４１】
低倍率光学系は、好ましくは、偏光及び非偏光の照明を選択できるように、偏光アセンブリを有する。好ましくは、偏光アセンブリは、ソフトウェアアプリケーションから遠隔で電力供給及び／又は制御される。あるいは、偏光は、機械的手段、好ましくはボタンを用いて、又は顕微鏡の低倍率端部にあるスペーサキャップなどのキャップをねじることによって、制御することができる。偏光は、毛髪及び頭皮の特徴のより良好な画像を得ることを可能にする。
【００４２】
低倍率光学系は、頭皮及び毛髪の拡大画像を得るために使用する。低倍率光学系は、毛髪が使用者の頭部に付いているときに、毛根領域（頭皮の近く）及び頭皮の高画質画像を得るために有利に使用される。抜けている毛髪を使用する場合、これは繊維のすべての部分の画像を得るために使用され得る。低倍率光学系は、健康毛又はダメージ毛と関連する属性、例えば頭皮の皮脂、頭皮のフケ、毛髪の豊富さ（頭皮の特定の領域にある毛髪の数）、及び毛包の占有率（各毛包から出ている毛髪の数）などを示すことができる複数の特徴を強調する。
【００４３】
表示手段
好ましくは、支援ソフトウェアは、顕微鏡からのデータ信号を取込み、それをデジタル画像に変換し、次いでそれを表示手段に示すことができる。
【００４４】
この装置は、一体型の表示手段、外部表示手段、及びそれらの組み合わせから選択される表示手段を備える。
【００４５】
表示手段は、装置の高倍率光学系及び低倍率光学系によって得られる毛髪及び頭皮の画像を見る目的のものである。
【００４６】
画像は、装置に内蔵された小さなスクリーンなどの、装置の内部にある表示手段を介して直接見ることができる。画像は、スクリーンなどの外部表示手段に転送してもよい。
【００４７】
適切な一体型の表示手段は、装置のハウジングに一体化されたスクリーンと、一体型アイピースとを含む。このようなスクリーンは、ハンドヘルド画像化装置のサイズに適合する小型スクリーンとする。
【００４８】
好ましくは、表示手段は外部表示手段である。外部表示手段を使用する場合、外部表示手段に接続するための手段が必要となる。接続のための好ましい手段は、ＵＳＢコネクタ、フォノコネクタ、及び無線接続である。
【００４９】
好ましくは、外部表示手段は、スクリーンを含む別個の装置であり、本発明のハンドヘルド画像化装置を解放可能に接続することができる。好ましいそのような別個の装置は、コンピュータ、モニタ、携帯電話、タブレット、及びラップトップを含む。
【００５０】
画像の取込み
ハンドヘルド装置は、任意選択のシャッター操作手段、例えばシャッターボタン（６）を備えていてもよい。シャッター操作手段が、ハウジングのスロットの反対側に位置付けられることが好ましい。これは、装置を使用している間、片手で操作しやすくする。
【００５１】
毛髪と頭皮の画像をスクリーンに表示することができる。画像は、ソフトウェアデバイスに取込む（例えば記録や保存をする）ことができる。
【００５２】
画像は、毛髪及び／又は頭皮の状態を評価するために使用される。画像は、毛髪又は頭皮の状態を評価するためにアルゴリズムからの出力と併せて使用することもできる。
【００５３】
ダメージなどの毛髪の状態における段階的な差異を示す画像のセットと比較することによって、評価を行うことができる。ダメージは、例えば、キューティクルのリフトアップ、キューティクルの崩壊、枝毛の分かれた部分などによって示せる。これは、高倍率光学系から得られた画像から明らかになる。同様に、低倍率光学系から得られた画像で明白となる特徴を評価することができ、これは、健康毛又はダメージ毛、例えば頭皮の皮脂、頭皮のフケ、毛髪の豊富さ（頭皮の特定の領域にある毛髪の数）、及び毛包の占有率（各毛包から出ている毛髪の数）と関連する複数の属性を示すことができる。
【００５４】
キューティクルのリフトアップ、キューティクルの崩壊、枝毛の分かれた部分、皮脂の存在、フケ、毛髪の豊富さ、毛包の占有率などの毛髪の状態を緩和するように設計された製品のリストと評価を比較することによって、製品の推奨を行うことができる。これは手動で、又はソフトウェア又はアルゴリズムの手段により実行することができる。アルゴリズムにより、ヘアケア製品に関して主張されている利点に基づいて、それらが個々の消費者に関連している程度に応じてヘアケア製品を推奨する方法を得ることができる。
【００５５】
接続性
本発明の画像化装置は、ソフトウェアデバイスに接続するための手段を備えることが好ましく、それはＵＳＢコネクタ、Ｂｌｕｅｔｏｏｔｈ（登録商標）接続、無線接続及びシリアルポート接続経路から好ましくは選択される。
【００５６】
画像化装置は、ソフトウェアデバイスに接続させてもよい。好ましくは、ソフトウェアデバイスは、コンピュータ、携帯電話、タブレット、及びラップトップコンピュータから選択される。ソフトウェアデバイスに接続することにより、毛髪の画像をソフトウェアデバイスに転送することができる。その後、見るために画像を表示することができる。
【００５７】
好ましくは、システムへの電力は、配電網から外的に供給される。より好ましくは、装置から電力が供給され、本発明のハンドヘルド画像化装置が解放可能に接続され得るソフトウェアデバイスが好ましい。あるいは、充電式バッテリ又は装置内の使い捨てバッテリによって電力を供給することができる。
【００５８】
最も好ましくは、ハンドヘルド画像化装置をソフトウェアデバイスに接続するための手段、外部表示手段、及び電力供給が、すべて単一の接続によって促進される。
【００５９】
ワークステーション
ワークステーションは、ハンドヘルド画像化装置とスクリーン、好ましくはソフトウェアデバイスを備え、ハンドヘルド装置とスクリーンは単一のベースに配置される。ワークステーションは、ハンドヘルド画像化装置用のホルダをさらに備えることができる。
【００６０】
スクリーンは、好ましくは、コンピュータ、モニタ、携帯電話、タブレット及びラップトップから選択され、最も好ましくはコンピュータ、携帯電話、タブレット及びラップトップから選択されるソフトウェアデバイスから選択される。好ましくは、スクリーンは顕微鏡とは別個に又は顕微鏡と連結させて使用することができる。
【００６１】
ベースは、好ましくはケーブル格納部を含む。好ましくは、ハンドヘルド画像化装置及びスクリーン用の電力の入力は、単一のベースに統合され、すべての構成要素に電力を供給するためにベースを電源に接続することだけが必要であるようにする。
【００６２】
ワークステーションの構成要素、例えばハンドヘルド画像化装置、スクリーン、任意選択のホルダやベースは、好ましくは、ハンドヘルド画像化装置のハウジング（１）と同じ材料でケーシングされている。したがって、ワークステーションの構成要素は外観と色が統一されている。把持領域の材料はまた、ベース及び／又はスクリーンのケーシングに複製してもよい。
【００６３】
方法
本発明の画像化装置を用いて毛髪及び頭皮の状態を評価する方法、及び毛髪の状態に適した製品を推奨する方法は、
１）毛髪繊維（１３）をスロット（４）に置き、繊維の高解像度画像を得るステップ、
２）低倍率光学系（３）を毛髪又は頭皮上に置き、画像を得るステップ、
３）ステップ１）及び２）の画像を用いて、毛髪及び／又は頭皮の状態の評価を行うステップ、及び
４）ステップ３）の評価を用いて製品の推奨を行うステップ
を含む。
【００６４】
上記の方法は、参加者の頭部に付いている毛髪、又は抜けている（頭部に付いていない）毛髪について行うことができる。この方法を、参加者の頭部に付いている毛髪で実施する場合、ステップ１）は、好ましくは毛髪繊維の軸及び先端で実施し、ステップ２）は、好ましくは毛髪の根元で実施する。
【００６５】
本発明のハンドヘルド画像化装置は、毛髪及び頭皮の状態の以下の側面を評価するのに特に有用である。毛髪の並び、キューティクルの状態、及び色落ちは、毛髪繊維の全長に沿って評価することができる。枝毛の分かれた部分、ボブル及びねじれは、特に、毛髪繊維の先端部での評価に関連する。薄く剥がれた皮膚、乾燥、及び脂っぽさなどの頭皮状態の指標は、繊維の密度（すなわち、単位面積当たりの繊維の数）及び複数の占有率（毛包あたりの繊維の数）と同様に、本発明のハンドヘルド画像化装置を用いて有利に評価される。
【００６６】
上記の方法で使用される毛髪繊維の数は、好ましくは１〜１００本、より好ましくは５〜５０本である。
【００６７】
参加者は一定期間にわたって毛髪と頭皮をモニタすることができる。参加者の毛髪及び／又は頭皮を調整して改善された状態にすべく推奨する製品は、モニタリングされる期間にわたって適用できる。上記の方法は、繰り返してもよい。それによって、消費者は、毛髪及び／又は皮膚（頭皮）の状態を改善すべく適用できる製品、又は他のいずれかの製品の有効性を、評価できるようになる。
【図１】
2018526681.tif 000002
【図２】
2018526681.tif 000003
【図３】
2018526681.tif 000004
【図４】
2018526681.tif 000005
【図５】
2018526681.tif 000006
【国際調査報告】
2018526681.tif 000007
2018526681.tif 000008
2018526681.tif 000009